(57)【要約】【課題】はつったアスベストの飛散を確実に防止できるとともに、はつったアスベストを減容することができる技術を提供する。【解決手段】処理対象となるアスベストをはつり機１０によりはつり、はつったアスベストを集じん機３０により吸引して収容器２０内の所定の袋状物２１に収容する。このはつったアスベストに硬化剤を添加し、集じん機３０による吸引により袋状物２１の内部を負圧化することで、袋状物２１に収容されているアスベストを固化する。【選択図】図２
2007117927.tif 000002
【特許請求の範囲】
【請求項１】
処理対象面に配されているアスベストをはつり、
前記はつったアスベストを、柔軟性、気密性を有する所定の袋状体に収容し、
前記袋状体に収容したアスベストに第１硬化剤を添加し、前記袋状体の内部を負圧化することで前記袋状体ごと前記アスベストを圧縮固化する、
アスベストの処理方法。
【請求項２】
処理対象面に配されているアスベストをはつり、
前記はつったアスベストをプレスして固化する、
アスベストの処理方法。
【請求項３】
前記はつったアスベストに第１硬化剤を添加してから前記アスベストを圧縮して固化する、
請求項２記載のアスベストの処理方法。
【請求項４】
前記プレスを加熱しながら行う、
請求項２または３記載のアスベストの処理方法。
【請求項５】
前記処理対象面に配されているアスベストの少なくとも表面に予め第２硬化剤を塗布することによって前記アスベストを硬化させた後、この硬化させたアスベストをはつる、
請求項１ないし４のいずれかの項記載のアスベストの処理方法。
【請求項６】
前記アスベストに前記第２硬化剤を塗布しながら前記硬化させたアスベストをはつる、
請求項５記載のアスベストの処理方法。
【請求項７】
前記第２硬化剤に加え、界面活性剤または湿潤剤の少なくとも一方を前記アスベストに塗布する、
請求項６記載のアスベストの処理方法。
【請求項８】
前記第２硬化剤に加え、界面活性剤を前記アスベストに塗布し、
前記界面活性剤として、ポリオキシエチレンアルキルエーテル、ポリオキシエチレンアルキルエステル、ジオクチルスルホコハク酸塩のうちの少なくとも１つを使用する、
請求項６記載のアスベストの処理方法。
【請求項９】
前記第２硬化剤に加え、湿潤剤を前記アスベストに塗布し、
前記湿潤剤として、グリセリン、ソルビトール、ポリカルボン酸、エチレングリコールのいずれかまたはこれらの酸化エチレン付加体のうちの少なくとも１つを使用する、
請求項６記載のアスベストの処理方法。
【請求項１０】
前記第１硬化剤として、アクリル酸、ウレタン、ビニルアルコール、エポキシ、酢酸ビニル、アクリルアミド、マレイン酸、ポリビニルアルコール、スチレン系、アクリル系、エチレン酢酸ビニル、アクリル酸エステルの樹脂エマルジョンを使用する、
請求項１、３ないし６のいずれかの項記載のアスベストの処理方法。
【請求項１１】
建築物のアスベスト壁面からアスベストをはつるはつり機と、
前記はつり機によりはつったアスベストを収容する柔軟性、気密性を有する所定の袋状体がその内部に設置された所定の容器と、
その一端が前記はつり機と接続され、その他端が前記所定の容器と接続された吸引ホースと、
前記容器の内部を負圧化することで、前記吸引ホースを介して前記はつり機によりはつったアスベストをそのまま前記袋状体内に吸引するとともに、前記容器内のアスベストに硬化剤が添加された状態の前記袋状体の内部を負圧化することで前記袋状体ごと前記アスベストを圧縮固化する負圧発生機と、を有する、
アスベスト処理装置。
【発明の詳細な説明】
【技術分野】
【０００１】
本発明は、建築物の壁面等に使用されたアスベストの処理方法およびアスベスト処理装置に関する。
【背景技術】
【０００２】
古い建築物の壁面等に使用されたアスベストの除去は、床や他の壁面をシート等で養生してからアスベストに高分子系の飛散防止剤を噴霧し、これをへら等ではつることによって行われる。
このようにして除去したアスベストは二重シートに包まれ、焼却場や埋立処分場等の処理場に運ばれることが一般的である。
【０００３】
以上の方法では、はつったアスベストをそのままシート内に収容して焼却場や埋立処分場に運搬する。このため、運搬時にシートが破損してしまった場合にアスベストが空中に飛散してしまうおそれがある。また、焼却場に運搬したアスベストを溶融焼却する場合に上昇気流によりアスベストが舞い上がり飛散するおそれもある。さらに、埋立処分場に埋め立てたアスベストが飛散してしまうおそれもある。
また、はつったアスベストをそのままシート内に収容すると、重さの割にかなりの容量となり嵩張る。このため、容量により運賃が決定される場合、焼却場や埋立処分場への運搬にかかる経費がコスト高となる。また、埋立処分場に運搬したアスベストを埋め立てる場合、アスベストの容量が多いまま埋め立てることは埋立処分場を延命化すべくごみの減量化を推進する時勢にそぐわない。
【発明の開示】
【発明が解決しようとする課題】
【０００４】
そこで、本発明は、はつったアスベストの飛散を確実に防止できるとともに、はつったアスベストを減容することができる技術を提供することをその課題とする。
【課題を解決するための手段】
【０００５】
本発明のアスベストの処理方法は、以下のようなものである。
すなわち、処理対象面に配されているアスベストをはつり、前記はつったアスベストを、柔軟性、気密性を有する所定の袋状体に収容し、前記袋状体に収容したアスベストに第１硬化剤を添加し、前記袋状体の内部を負圧化することで前記袋状体ごと前記アスベストを圧縮固化する、アスベストの処理方法である。
このようなアスベストの処理方法によれば、はつったアスベストを固化するため、アスベストが空中に飛散することを確実に防止することができる。また、はつったアスベストをそのままシート内に収容した場合と比べてかなり減容することができることになる。これにより、運搬に要する経費を軽減することができ、また、埋立処分する場合、埋立処分場を延命化することができる。
なお、処理対象面は、例えば建築物の壁面であってもよいし、天井であってもよい。
【０００６】
本発明の他のアスベストの処理方法は、処理対象面に配されているアスベストをはつり、前記はつったアスベストをプレスして固化する、アスベストの処理方法である。
このような処理方法によっても、はつったアスベストを固化することができ、アスベストが空中に飛散することを確実に防止することができる。また、はつったアスベストをそのままシート内に収容した場合と比べてかなり減容することができることになる。これにより、運搬に要する経費を軽減することができ、また、埋立処分する場合、埋立処分場を延命化することができる。
【０００７】
なお、前記はつったアスベストに第１硬化剤を添加してから前記アスベストを圧縮して固化するようにしてもよい。
このように袋状体に収容したアスベストに第１硬化剤を添加してから圧縮するようにすれば、アスベストをより固化することができる。
また、前記プレスを加熱しながら行ってもよい。
【０００８】
以上に記載したアスベストの処理方法において、前記処理対象面に配されているアスベストの少なくとも表面に予め第２硬化剤を塗布することによって前記アスベストを硬化させた後、この硬化させたアスベストをはつるようにしてもよい。
このように処理対象面に配されているアスベストに予め第２硬化剤を塗布してアスベストを硬化させてからはつるようにすれば、はつり時におけるアスベストの飛散を防止することができる。
【０００９】
また、前記アスベストに第２硬化剤を塗布しながら前記硬化させたアスベストをはつるようにしてもよい。
こうすれば、はつり時におけるアスベストの飛散をさらに防止することができる。
【００１０】
第１硬化剤は、はつったアスベストに添加されるものであり、負圧化またはプレスすることでアスベストを固化することができるものであればどのようなものを用いてもよい。
この第１硬化剤としては、例えばアクリル酸、ウレタン、ビニルアルコール、エポキシ、酢酸ビニル、アクリルアミド、マレイン酸を含んだ樹脂エマルジョンを使用することができる。より詳しくは、ポリビニルアルコール、スチレン系、アクリル系、エチレン酢酸ビニル、アクリル酸エステルの樹脂エマルジョンを使用することができる。
また、第２硬化剤は、塗布することによりアスベストを硬化することができるものであればどのようなものを用いてもよい。具体的には、第１硬化剤と同様の硬化剤を用いることができる。
【００１１】
前記第２硬化剤に加え、界面活性剤または湿潤剤の少なくとも一方を使用してもよい。界面活性剤を塗布することによりアスベスト繊維への硬化剤の浸透性を向上することができる。また、湿潤剤を塗布することよりアスベストの湿潤性を高めることができる。
界面活性剤としては、例えば非イオン性、陰イオン性、陽イオン性、両性の界面活性剤を用いることができる。より詳しくは、ポリオキシエチレンアルキルエーテル、ポリオキシエチレンアルキルエステル、ジオクチルスルホコハク酸塩のいずれかのうち少なくとも１つを用いてもよい。
湿潤剤としては、例えばグリセリン、ソルビトール、ポリカルボン酸、エチレングリコールのいずれかまたはこれらの酸化エチレン付加体を用いることができる。より詳しくは、ポリオキシエチレンアルキルエーテル、ポリオキシエチレンアルキルエステル、ジオクチルスルホコハク酸ナトリウム、アルキルジエタノールアミド、ソルビタンエステルを用いることができる。
【００１２】
以上の硬化剤、界面活性剤または湿潤剤は、例えばスプレー、ローラ、刷毛、こて等を使用してアスベストに塗布することができる。
【００１３】
以上に記載したアスベストの処理方法は、例えば以下のアスベスト処理装置を使用して実行することができる。
このアスベスト処理装置は、建築物のアスベスト壁面からアスベストをはつるはつり機と、前記はつり機によりはつったアスベストを収容する柔軟性、気密性を有する所定の袋状体がその内部に設置された所定の容器と、その一端が前記はつり機と接続され、その他端が前記所定の容器と接続された吸引ホースと、前記容器の内部を負圧化することで、前記吸引ホースを介して前記はつり機によりはつったアスベストをそのまま前記袋状体内に吸引するとともに、前記容器内のアスベストに硬化剤が添加された状態の前記袋状体の内部を負圧化することで前記袋状体ごと前記アスベストを圧縮固化する負圧発生機と、を有する。
なお、前記容器の内部に、前記袋状体内に収容したアスベストが前記負圧発生機に吸引されないようにするフィルタを設けてもよい。
【発明の効果】
【００１４】
本発明によれば、はつったアスベストの飛散を確実に防止できるとともに、減容することができる技術を提供することができる。
【発明を実施するための最良の形態】
【００１５】
以下、本発明の好ましい実施形態を図面を参照しながら説明する。
【００１６】
＜第１実施形態＞
以下、本発明の第１実施形態のアスベストの処理方法について、図１ないし図３を参照して説明する。
この実施形態においては、図１に示すような作業室１００の天井のアスベスト面１０１をはつって除去する場合を例にあげて説明する。
【００１７】
まず、処理対象となるアスベストを硬化させるべく、アスベスト面１０１全体に補助硬化剤を塗布する。この補助硬化剤によりアスベスト面１０１を硬化させることで、アスベストをはつる際のアスベストの飛散を防止するためである。
【００１８】
本実施形態では補助硬化剤としてポリビニルアルコールの樹脂エマルジョンを使用するものとして説明するが、補助硬化剤は、塗布することによりアスベストを硬化することができるものであればどのようなものを用いてもよい。例えばアクリル酸、ウレタン、ビニルアルコール、エポキシ、酢酸ビニル、アクリルアミド、マレイン酸を含んだ樹脂エマルジョンを硬化剤として使用してもよい。より詳しくは、ポリビニルアルコール、スチレン系、アクリル系、エチレン酢酸ビニル、アクリル酸エステルの樹脂エマルジョンを使用することができる。
【００１９】
また、本実施形態ではこの補助硬化剤に加え、界面活性剤と湿潤剤をアスベスト面１０１全体に塗布する。界面活性剤を塗布することによりアスベスト繊維への硬化剤の浸透性を向上することができる。また、湿潤剤を塗布することよりアスベストの湿潤性を高めることができる。
本実施形態では界面活性剤としてポリオキシエチレンアルキルエーテルを使用するものとして説明するが、これに限られず、例えば非イオン性、陰イオン性、陽イオン性、両性のいずれの界面活性剤を用いてもよい。具体的には、ポリオキシエチレンアルキルエーテル、ポリオキシエチレンアルキルエステル、ジオクチルスルホコハク酸塩のうちの少なくとも１つを用いることができる。
また、本実施形態では湿潤剤としてポリオキシエチレンアルキルエーテルを使用するものとして説明するが、これに限られず、例えばグリセリン、ソルビトール、ポリカルボン酸、エチレングリコールのいずれかまたはこれらの酸化エチレン付加体を用いることができる。より詳しくは、ポリオキシエチレンアルキルエーテル、ポリオキシエチレンアルキルエステル、ジオクチルスルホコハク酸ナトリウム、アルキルジエタノールアミド、ソルビタンエステルを用いることができる。
【００２０】
以上の補助硬化剤、界面活性剤または湿潤剤は、アスベスト処理を実行する作業者が、スプレー、ローラ、刷毛、こて等を使用して塗布する。
【００２１】
次に、硬化させたアスベスト面１０１にさらに補助硬化剤を塗布しながらアスベスト面１０１をはつる。このように硬化剤を塗布しながらはつることで、はつり時におけるアスベストの飛散をさらに防止することができる。
本実施形態では、硬化剤としてポリビニルアルコールの樹脂エマルジョンを水で希釈し（例えば、エマルジョンに対して重量比で０．１〜１００倍の水を加える）、塗布量が１０〜５００ｇ／ｍ３（好ましくは２０〜２００ｇ／ｍ３）となるように噴霧する。
【００２２】
本実施形態では、このはつり作業は以下のアスベスト処理装置１によって実行する。
図２は、作業者１０２がアスベスト処理装置１を用いてアスベスト面１０１をはつっている状態を示す図である。
このアスベスト処理装置１は、アスベスト面１０１のアスベストをはつるアスベストはつり用のはつり機１０と、このはつり機１０によりはつったアスベストを収容する袋状物２１がその内部に設置された収容器２０と、収容器２０内を負圧化する集じん機３０と、その一端がはつり機１０と接続され、その他端が収容器２０と接続された第１吸引ホース４０と、その一端が収容器２０と接続され、その他端が集じん機３０と接続された第２吸引ホース５０と、を備えている。
【００２３】
はつり機１０は、アスベストをはつる回転刃１１と、この回転刃１１を回転させる駆動モータ１２と、はつったアスベストを受け止める受け止め部１３と、第１吸引ホース４０と接続されるノズル部１４と、を有する。後述するように、回転刃１１によりはつられ、受け止め部１３により受け止められたアスベストは、ノズル部１４から第１吸引ホース４０を介して収容器２０内の袋状物２１に収容されることとなる。
【００２４】
収容器２０は、底部を有する円筒形状の気密性を有する容器２２と、この容器２２を密閉するための蓋２３と、アスベスト繊維を通過させないようにするためのフィルタ２４（図３に記載）と、を有している。
蓋２３には第１吸引ホース４０を接続する第１接続孔２３ａおよび第２吸引ホース５０を接続する第２接続孔２３ｂが設けられている。これらの接続孔２３ａ、２３ｂは、吸引ホース４０、５０と接続しない場合には閉じることができるように構成されている。なお、蓋２３の下面は、第２接続孔２３ｂを取り囲むようにフィルタ２４を装着できるような構成となっている。
この収容器２０の中には、予めポリ袋等の袋状物２１が設置されている。
なお、本実施形態では袋状物２１としてポリ袋を使用するものとして説明するが、袋状物２１はこれに限られず、柔軟性、気密性を有する袋状のものであればよい。なお、ポリ袋としては、例えばポリエチレン製、ポリプロピレン製、ポリ塩化ビニル製のものを使用することができる。
【００２５】
集じん機３０は、ファンと、このファンを回転させるモータと、集じん機３０に流入した空気を外部に排出する空気排出口と、を有する（なお、これらのファン、モータ、および空気排出口については図示を省略する）。
【００２６】
以上のような構成のアスベスト処理装置１を用いてはつり作業を行う場合、作業者１０２は、集じん機３０のモータを回転させることによりファンを回転させて収容器２０内部を負圧化するとともに、はつり機１０の駆動モータ１２により回転刃１１を回転させ、はつり機１０をアスベスト面１０１に沿わせて移動させることによって、アスベストをはつる。
具体的には、はつり機１０の回転刃１１によりはつられたアスベストは、受け止め部１３により受け止められ、収容器２０内に発生させた負圧によりノズル部１４に吸引され、第１吸引ホース４０を介して収容器２０内の袋状物２１に収容される。この負圧は、集じん機３０のファンをモータにより回転させて収容器２０内部の空気を集じん機３０に吸引することによって発生する収容器２０内外の圧力差である。
なお、図３に示すように、収容器２０内部の空気を集じん機３０に吸引する際には、第２吸引ホース５０の周りに装着したフィルタ２４によってアスベスト１０３が集じん機３０に吸引されないようになっている。この集じん機３０に吸引された空気は空気排出口から放出されることとなる。
このようにして、はつり機１０によりはつったアスベスト１０３は収容器２０内の袋状物２１に順次収容される。
【００２７】
以上のようなアスベストのはつり作業が終了した後、収容器２０の蓋２３から第１吸引ホース４０を外して第１接続孔２３ａから主要硬化剤を滴下することで、袋状物２１内のアスベストに主要硬化剤を添加する。本実施形態では、この主要硬化剤としてポリビニルアルコールの樹脂エマルジョンを使用するものとして説明するが、これに限られず、前述の補助硬化剤と同じものを使用することができる。
その後、第１接続孔２３ａを閉じて集じん機３０による吸引を再度開始し、収容器２０内を負圧化する。
これにより、収容器２０内の袋状物２１内部も負圧化され、袋状物２１ごとアスベストを圧縮固化することができる。具体的には、はつったアスベスト１０３をそのままシート内に収容した場合と比べて５０％〜７０％減容することができる。
【００２８】
このようなアスベスト処理方法およびアスベスト処理装置１によれば、アスベストを圧縮固化することができるため、はつったアスベストをそのままシート内に収容した場合と比べてかなり減容することができ、運搬に要する経費を軽減することができる。また、埋立処分する場合、埋立処分場を延命化することができる。
【００２９】
本実施形態は以上のようなものとして説明したが、アスベストをはつる前に、処理対象となるアスベストに補助硬化剤を塗布しなくてもよい。
また、アスベストをはつる際に補助硬化剤を塗布しなくてもよい。同様に、界面活性剤または湿潤剤を塗布しなくてもよい。
これらのことは以下に記載する変形例および第２実施形態においても同様である。
【００３０】
［変形例］
以上の第１実施形態においては、はつり作業をアスベスト処理装置１を用いて実行するが、必ずしもその必要はなく、図４に示すように、作業者１０２がケレン、メルトンスクレバー等の除去工具６０を用いてはつり作業を実行してもよい。
この場合には、はつり作業の完了後にはつったアスベスト１０３を作業者１０２がポリ袋等の袋状物２１に入れる。
その後、負圧装置により、この袋状物２１に収容されたアスベストを処理する。
この負圧装置は、第１実施形態のアスベスト処理装置１に含まれる収容器２０と、集じん機３０と、第２吸引ホース５０に相当する吸引ホースと、を備えてなるものである。
この負圧装置によるアスベストの処理は、以下のようにして実行される。
まず、はつったアスベストが収容された袋状物２１を収容器２０に設置する。それから収容器２０の第１接続孔２３ａから主要硬化剤を滴下し、袋状物２１内のアスベストに主要硬化剤を添加する。
その後、第１接続孔２３ａを閉じて集じん機３０による吸引を開始し、収容器２０内を負圧化する。
これにより、収容器２０内の袋状物２１内部も負圧化され、第１実施形態と同様に、袋状物２１ごとアスベストを圧縮固化することができる。
【００３１】
＜第２実施形態＞
本実施形態のアスベストの処理方法は、はつったアスベストの固化の仕方が第１実施形態の処理方法と異なる。
すなわち、本実施形態のアスベストの処理方法は、はつったアスベストを収容した容器の内部を負圧化することでアスベストを固化するのではなく、はつったアスベストをプレスして固化するものである。
【００３２】
はつったアスベストの圧縮固化は、例えば以下のようなプレス機７０によって実行することができる。
本実施形態のプレス機７０は、図５に示すように、その軸線が一致するようにして設けられる上型７１と、下型７２とを有している。
下型７２は、断面が矩形の、上面が開口された箱型の部材であり、上型７１は、その面が下型７２の水平方向の断面形状に対応する形状とされた板状体である。この上型７１は、図示しない駆動装置により上下動するようになっているスライド部７４の下端に取り付けられている。
このプレス機７０の下型７２の中に、はつったアスベストに主要硬化剤を添加したものを入れ、上型７１を降下させて下型７２の底面側に押し付けることにより、はつったアスベストを圧縮固化することができる。
このように、はつったアスベストを圧縮固化すれば、アスベストの飛散を確実に防止できるとともに、減容することができる。具体的には、はつったアスベストをそのままシート内に収容した場合と比べて７０％〜９０％減容することができる。
【００３３】
なお、本実施形態では以上のようなプレス機を用いるものとして説明したが、これに限られず、はつったアスベストを圧縮処理することができればどのようなプレス機を用いてもよい。例えば、それぞれ図示しない熱源により加熱されるようになっている上型および下型を有する加熱プレス機等により、はつったアスベストを加熱しながら圧縮するようにしてもよい。また、上型およびこれに対応する下型の形はどのような形状としてもよい。
【００３４】
以上のようなアスベスト処理方法およびアスベスト処理装置によっても、はつったアスベストを固化することができ、はつったアスベストの飛散を確実に防止できるとともに、はつったアスベストの容量をかなり減容することができる。
【図面の簡単な説明】
【００３５】
【図１】処理対象となるアスベスト面を示す図。
【図２】第１実施形態のアスベスト処理装置を含む図。
【図３】収容器およびフィルタを示す図。
【図４】作業者がはつり作業を実行している状態を示す図。
【図５】第２実施形態で使用するプレス機を示す図。
【符号の説明】
【００３６】
１  アスベスト処理装置
１０  はつり機
１１  回転刃
１２  駆動モータ
１３  受け止め部
１４  ノズル部
２０  収容器
２１  袋状物
２２  容器
２３  蓋
２３ａ  第１接続孔
２３ｂ  第２接続孔
３０  集じん機
４０  第１吸引ホース
５０  第２吸引ホース
６０  除去工具
７０  プレス機
１００  作業室
１０１  アスベスト面
【図１】
2007117927.tif 000003
【図２】
2007117927.tif 000004
【図３】
2007117927.tif 000005
【図４】
2007117927.tif 000006
【図５】
2007117927.tif 000007